(57)【要約】【課題】低コストで興趣を高めることができる発光玩具を提供する。【解決手段】観覧車を模した玩具本体２と、発光手段３と、制御手段４とを備えた発光玩具１であって、発光手段３は、発光体３１からの光が導光板３３の側面から入射して玩具本体２の正面側から出射するよう構成されるとともに、導光板３３が、連結部分５４の少なくとも１つ、連結部分５４とスポーク５２との交点で仕切られるスポーク部分５２ａの少なくとも１つ、及び車輪５３とスポーク５２との交点で仕切られる車輪部分５３ａの少なくとも１つに設けられ、発光体３１が、連結部分５４とスポーク５２との第１交点部分Ｐ１の少なくとも１つ、車輪５３とスポーク５２との第２交点部分Ｐ２の少なくとも１つ、及びセンター部分５１におけるスポーク５２の付け根部分Ｐ３の少なくとも１つに設けられて構成される。【選択図】図３
2009268840.tif 000002
【特許請求の範囲】
【請求項１】
センター部分から放射状に等角度間隔で設けられた複数のスポーク、全ての前記スポークの先端部を連結して構成される環状の車輪、及び隣り合う前記スポーク同士を連結する複数の連結部分を有する観覧車を模した玩具本体と、
発光体及び導光板を有する発光手段と、
所定の発光パターンで発光するよう前記発光手段を制御する制御手段と、
を備えた発光玩具であって、
前記発光手段は、
前記発光体からの光が前記導光板の側面から入射して前記玩具本体の正面側から出射するように、
前記導光板が、前記連結部分の少なくとも１つ、当該連結部分と前記スポークとの交点で仕切られるスポーク部分の少なくとも１つ、及び前記車輪と前記スポークとの交点で仕切られる車輪部分の少なくとも１つに設けられ、
前記発光体が、前記連結部分と前記スポークとの交点部分の少なくとも１つ、前記車輪と前記スポークとの交点部分の少なくとも１つ、及び前記センター部分における前記スポークの付け根部分の少なくとも１つに設けられて構成されることを特徴とする発光玩具。
【請求項２】
前記スポークには前記発光体と電気的に接続された配線基板が敷設され、前記制御手段は当該配線基板を含んで構成されることを特徴とする請求項１に記載の発光玩具。
【請求項３】
前記発光体は、互いに発光色の異なる３つの発光ダイオードを含んで構成されることを特徴とする請求項１又は２に記載の発光玩具。
【請求項４】
前記所定の発光パターンは、少なくとも１つの前記発光手段毎に、発光色，発光順序，及び発光数のうちの少なくとも１つを変化させるものであることを特徴とする請求項１〜３のいずれか一項に記載の発光玩具。
【請求項５】
前記制御手段は、所定の日付、時間に応じて前記所定の発光パターンが変化するよう前記発光手段を制御することを特徴とする請求項１〜４のいずれか一項に記載の発光玩具。
【発明の詳細な説明】
【技術分野】
【０００１】
本発明は、発光玩具に関する。
【背景技術】
【０００２】
従来、各部に備えた発光手段を発光させることにより、遊戯者を楽しませる発光玩具が知られている（例えば、特許文献１参照）。
【特許文献１】特開２００４−１５９６９２号公報
【発明の開示】
【発明が解決しようとする課題】
【０００３】
しかしながら、上記特許文献１に記載の発光玩具では、発光態様が単調で興趣性に乏しかった。また、この発光を印象深いものするために発光量を増やそうとすると、多くの発光体やこれらを接続する配線等が必要となり、製造コストが嵩んでしまうという問題があった。
【０００４】
本発明は、上記事情を鑑みてなされたもので、低コストで興趣を高めることができる発光玩具の提供を課題とする。
【課題を解決するための手段】
【０００５】
前記の課題を解決するために、請求項１に記載の発明は、
センター部分から放射状に等角度間隔で設けられた複数のスポーク、全ての前記スポークの先端部を連結して構成される環状の車輪、及び隣り合う前記スポーク同士を連結する複数の連結部分を有する観覧車を模した玩具本体と、
発光体及び導光板を有する発光手段と、
所定の発光パターンで発光するよう前記発光手段を制御する制御手段と、
を備えた発光玩具であって、
前記発光手段は、
前記発光体からの光が前記導光板の側面から入射して前記玩具本体の正面側から出射するように、
前記導光板が、前記連結部分の少なくとも１つ、当該連結部分と前記スポークとの交点で仕切られるスポーク部分の少なくとも１つ、及び前記車輪と前記スポークとの交点で仕切られる車輪部分の少なくとも１つに設けられ、
前記発光体が、前記連結部分と前記スポークとの交点部分の少なくとも１つ、前記車輪と前記スポークとの交点部分の少なくとも１つ、及び前記センター部分における前記スポークの付け根部分の少なくとも１つに設けられて構成されることを特徴とする。
【０００６】
請求項２に記載の発明は、請求項１に記載の発光玩具であって、
前記スポークには前記発光体と電気的に接続された配線基板が敷設され、前記制御手段は当該配線基板を含んで構成されることを特徴とする。
【０００７】
請求項３に記載の発明は、請求項１又は２に記載の発光玩具であって、
前記発光体は、互いに発光色の異なる３つの発光ダイオードを含んで構成されることを特徴とする。
【０００８】
請求項４に記載の発明は、請求項１〜３のいずれか一項に記載の発光玩具であって、
前記所定の発光パターンは、少なくとも１つの前記発光手段毎に、発光色，発光順序，及び発光数のうちの少なくとも１つを変化させるものであることを特徴とする。
【０００９】
請求項５に記載の発明は、請求項１〜４のいずれか一項に記載の発光玩具であって、
前記制御手段は、所定の日付、時間に応じて前記所定の発光パターンが変化するよう前記発光手段を制御することを特徴とする。
【発明の効果】
【００１０】
請求項１に記載の発明によれば、導光板が、連結部分、当該連結部分とスポークとの交点で仕切られるスポーク部分、及び車輪とスポークとの交点で仕切られる車輪部分に設けられ、発光体が、連結部分とスポークとの交点部分、車輪とスポークとの交点部分、及びセンター部分におけるスポークの付け根部分に設けられているので、例えば発光部の全体に発光体を設ける必要もなく、導光板を用いることで各部を発光できるとともに、放射状に設けられたスポーク等を所定の発光パターンで発光させることによりスケール感が創出される。したがって、低コストに構成できるとともに、興趣を高めることができる。
【００１１】
請求項２に記載の発明によれば、スポークには発光体と電気的に接続された配線基板が敷設され、制御手段は当該配線基板を含んで構成されるので、配線基板を強度部材としてスポークを構成することができる。したがって、スポークに強度部材を別途設ける必要がなく、より低コストに構成することができる。
【００１２】
請求項３に記載の発明によれば、発光体は互いに発光色の異なる３つの発光ダイオードを含んで構成されるので、３色の組合せにより多彩な色の発光が可能となる。したがって、一層興趣を高めることができる。
【００１３】
請求項４に記載の発明によれば、前記所定の発光パターンは、少なくとも１つの発光手段毎に、発光色，発光順序，及び発光数のうちの少なくとも１つを変化させるものであるので、多彩な発光パターンを楽しむことができ、一層興趣を高めることができる。
【００１４】
請求項５に記載の発明によれば、制御手段は、所定の日付、時間に応じて所定の発光パターンが変化するよう前記発光手段を制御するので、例えば、特定の記念日には特定の発光パターンで発光させるなどして、一層興趣を高めることができる。
【発明を実施するための最良の形態】
【００１５】
以下、本発明の実施の形態について、図を参照して説明する。
【００１６】
本発明に係る発光玩具１は、図１に示すように、観覧車を模した玩具本体２と、後述の発光体３１を有して発光する発光手段３（図２参照）と、発光手段３を制御する制御手段４（図５参照）とを備えている。
【００１７】
まず、玩具本体２について説明する。
玩具本体２は、回転体５と、回転体５を支持する支柱６と、支柱６を介して回転体５を立設する基台７とを備えている。このうち、回転体５は、センター部分５１と、スポーク５２と、車輪５３と、連結部分５４と、ゴンドラ部５５とを備えている。また、回転体５では、スポーク５２、車輪５３、及び連結部分５４からなる部分の正面側が半透明のカバー８で、背面側が不透明のケース９でそれぞれ覆われている（図４参照）。
【００１８】
センター部分５１は、円板状に形成され、支柱６に固定されて回転体５を支持するものである。また、センター部分５１は、後述する中央制御基板４１（図５参照）を内部に備えている。
【００１９】
スポーク５２は、均等な長さの棒状に形成され、センター部分５１の周側部から放射状に等角度間隔で複数設けられている。また、このスポーク５２には、後述するように発光手段３やスポーク制御基板４２が配置されている。
【００２０】
車輪５３は、全てのスポーク５２の略先端部を周方向に連結してなる正面視略円形の環状に形成されたものである。この車輪５３は、スポーク５２との交点で当該スポーク５２と固定されており、この交点が先端部にあるスポーク５２と、先端部より少し半径方向内側にあるスポーク５２とが交互に並ぶように形成されている。車輪５３とスポーク５２との交点で仕切られる車輪部分５３ａは、それぞれ棒状に形成されている。また、この車輪５３には、後述するように発光手段３が配置されている。
【００２１】
連結部分５４は、車輪５３よりも半径方向内側において、隣り合うスポーク５２同士を同じ半径位置で連結する第１連結部分５４ａと、当該第１連結部分５４ａよりも半径方向内側において、隣り合うスポーク５２同士を同じ半径位置で連結する第２連結部分５４ｂと、当該第２連結部分５４ｂよりも半径方向内側において、隣り合うスポーク５２同士を同じ半径位置で連結する第３連結部分５４ｃとから構成されている。また、この連結部分５４には、後述するように発光手段３が配置されている。
【００２２】
ゴンドラ部５５は、略円板上に形成され、各スポーク５２の先端部に設けられた、乗客用の籠を模した部分である。このゴンドラ部５５は、スポーク５２先端に固定され回転体５正面に垂直な方向（図示垂直方向）へ延在する回動軸に対し、当該ゴンドラ部５５上部の外周面において回動可能に連結されている。
【００２３】
続いて、発光手段３について説明する。
発光手段３は、図２に示すように、発光体３１及び伝播部３２を備え、この伝播部３２は、導光板３３と、反射シート３４と、拡散シート３５とから構成されている。この発光手段３は、導光板３３の長手方向へ光Ｌが伝播するように、導光板３３の一方の側面へ発光面を向けて当該側面側に発光体３１が設けられるとともに、導光板３３の表面（図示上方の面）に拡散シート３５、裏面に反射シート３４がそれぞれ貼付されて構成されている。また、発光体３１は、赤緑青の３色をそれぞれ発光する３つの発光ダイオード３１ａを含んで構成されている。但し、この３つの発光ダイオード３１ａは、互いに発光色の異なるものであればよい。
【００２４】
この発光手段３では、発光体３１から出射した光Ｌが導光板３３の側面から伝播部３２に入射して、表面反射を繰り返して導光板３３の広い面積に広がる。そして、この光Ｌは、反射シート３４の反射ドット（図示せず）に当たると、そこで散乱され、導光板３３の表面側から拡散シート３５を通じて外部に出て行く。こうして、発光手段３は、拡散シート３５を貼付した面が発光するようになっている。
【００２５】
また、発光手段３は、図３及び図４に示すように、スポーク５２、車輪部分５３ａ、及び第１〜第３連結部分５４ａ〜５４ｃに多数配置されている。ここで、図３は、発光手段３の回転体５への配置状態を示す模式図であり、図４は、図３におけるＡ−Ａ部の断面図である。
【００２６】
具体的には、発光手段３は以下のように配置される。
発光手段３のうち、導光板３３を含む伝播部３２は、第１〜第３連結部分５４ａ〜５４ｃ、当該第１〜第３連結部分５４ａ〜５４ｃとスポーク５２との各交点で仕切られるスポーク部分５２ａ、及び車輪部分５３ａにそれぞれ配置される。このとき、玩具本体２の正面側から光Ｌが出射するよう、拡散シート３５を貼付した面が当該正面側に向けられる。また、このように配置される各伝播部３２は、後述する第１，第２交点部分Ｐ１，Ｐ２及び付け根部分Ｐ３に配置される各発光体３１の発光面に対し、光Ｌが入射される一方の側面を向けて配置される。
【００２７】
発光手段３のうち、残る発光体３１は、第１〜第３連結部分５４ａ〜５４ｃとスポーク５２との第１交点部分Ｐ１、車輪５３とスポーク５２との第２交点部分Ｐ２、及びセンター部分５１におけるスポーク５２の付け根部分Ｐ３にそれぞれ配置される。
具体的には、第１，第２交点部分Ｐ１，Ｐ２には、第１〜第３連結部分５４ａ〜５４ｃ及び車輪部分５３ａに配置される伝播部３２に対し正面視時計回りに光Ｌが伝播するよう、正面視時計回り方向に発光面を向けた発光体３１が配置される。これに加え、第１交点部分Ｐ１のうちの第２連結部分５４ｂとスポーク５２との交点部分には、４つのスポーク部分５２ａのうち半径方向内側から２番目及び３番目の各スポーク部分５２ａに配置される伝播部３２に対し、それぞれ半径方向内側向き及び外側向きに光Ｌが伝播するよう、半径方向内側向き及び外側向きに発光面を向けた２個の発光体３１が配置される。更に、第１交点部分Ｐ１のうちの第１連結部分５４ａとスポーク５２との交点部分、及び付け根部分Ｐ３には、４つのスポーク部分５２ａのうち半径方向内側から１番目及び４番目の各スポーク部分５２ａに配置される伝播部３２に対し、いずれも半径方向外側向きに光Ｌが伝播するよう、半径方向外側向きに発光面を向けた発光体３１が配置される。
【００２８】
続いて、制御手段４について、図５を参照して説明する。
制御手段４は、中央制御基板４１及びスポーク制御基板４２を備え、所定の発光パターンで発光するよう発光手段３の発光体３１を制御する。また、制御手段４は、センター部分５１に設けられた電源（図示せず）から電力供給されるとともに、当該電力を発光体３１に供給する。
【００２９】
中央制御基板４１は、センター部分５１に設けられ、スポーク制御基板４２と接続されて、当該スポーク制御基板４２を介して発光体３１を所定の発光パターンで発光するよう制御する。この発光パターンは、特に限定はされないが、少なくとも１つの発光手段３毎に、発光色，発光順序，及び発光数のうちの少なくとも１つを変化させるものである。
【００３０】
また、中央制御基板４１は、複数の発光パターンを記憶する記憶手段４１１を備えており、所定の日付、時間に応じて発光パターンが変化するよう発光体３１を制御することが可能になっている。
【００３１】
スポーク制御基板４２は、スポーク５２の全長に亘って延在するよう敷設され、第１，第２交点部分Ｐ１，Ｐ２及び付け根部分Ｐ３において発光体３１が実装され電気的に接続されている（図３参照）。そして、スポーク制御基板４２は、中央制御基板４１からの制御内容に応じて発光体３１を発光制御する。
【００３２】
以上のように構成された発光玩具１によれば、制御手段４が第１，第２交点部分Ｐ１，Ｐ２、及び付け根部分Ｐ３に設けた発光体３１を制御することで、連結部分５４、スポーク部分５２ａ、及び車輪部分５３ａに設けた伝播部３２の玩具本体２正面側が所定の発光パターンで発光する。これにより、例えば発光部の全体に発光体３１を設ける必要もなく、導光板３３を用いることで各部を発光できるとともに、放射状に設けられたスポーク５２等を所定の発光パターンで発光させることによりスケール感が創出される。したがって、低コストに構成できるとともに、興趣を高めることができる。
【００３３】
また、スポーク５２には発光体３１と電気的に接続されたスポーク制御基板４２が敷設されているので、このスポーク制御基板４２を強度部材としてスポーク５２を構成することができる。したがって、スポーク５２に強度部材を別途設ける必要がなく、より低コストに構成することができる。
【００３４】
また、発光体３１は赤緑青の３色をそれぞれ発光する３つの発光ダイオード３１ａを含んで構成されるので、３色の組合せにより多彩な色の発光が可能となる。したがって、一層興趣を高めることができる。
【００３５】
また、発光手段３による発光パターンは、少なくとも１つの発光手段３毎に、発光色，発光順序，及び発光数のうちの少なくとも１つを変化させるものであるので、多彩な発光パターンを楽しむことができ、一層興趣を高めることができる。
【００３６】
また、制御手段４は、所定の日付、時間に応じて所定の発光パターンが変化するよう発光手段３を制御するので、例えば、特定の記念日には特定の発光パターンで発光させるなどして、一層興趣を高めることができる。
【００３７】
なお、上記実施の形態においては、導光板３３を含む伝播部３２は、第１〜第３連結部分５４ａ〜５４ｃ、スポーク部分５２ａ、及び車輪部分５３ａの全てに設けられる必要はなく、第１〜第３連結部分５４ａ〜５４ｃの少なくとも１つ、スポーク部分５２ａの少なくとも１つ、及び車輪部分５３ａの少なくとも１つに設けられていればよい。
【００３８】
また、発光体３１は、第１，第２交点部分Ｐ１，Ｐ２、及び付け根部分Ｐ３の全てに設けられる必要はなく、第１交点部分Ｐ１の少なくとも１つ、第２交点部分Ｐ２の少なくとも１つ、及び付け根部分Ｐ３の少なくとも１つに設けられていればよい。
【００３９】
また、制御手段４及び発光体３１への電力供給は、センター部分５１に設けた電源からに限定されず、例えば外部のコンセントからとしてもよい。
【００４０】
また、回転体５は、回転可能な構成としていないが、回転可能に構成してもよい。
【００４１】
また、上記以外の点についても、本発明は上記実施の形態に限定されるものではなく、適宜変更可能であるのは勿論である。
【図面の簡単な説明】
【００４２】
【図１】発光玩具の正面図である。
【図２】発光手段の光伝播方向における断面図である。
【図３】発光手段の回転体への配置状態を示す模式図である。
【図４】図３におけるＡ−Ａ部の断面図である。
【図５】制御手段による発光制御を示すブロック図である。
【符号の説明】
【００４３】
１      発光玩具
２      玩具本体
３      発光手段
４      制御手段
３１    発光体
３１ａ  発光ダイオード
３３    導光板
４２    スポーク制御基板（配線基板）
５１    センター部分
５２    スポーク
５２ａ  スポーク部分
５３    車輪
５３ａ  車輪部分
５４    連結部分
Ｌ      光
Ｐ１    第１交点部分
Ｐ２    第２交点部分
Ｐ３    付け根部分
【図１】
2009268840.tif 000003
【図２】
2009268840.tif 000004
【図３】
2009268840.tif 000005
【図４】
2009268840.tif 000006
【図５】
2009268840.tif 000007